(57)【要約】【課題】掻込装置を構成する左右一対の従動側スターホイールと、この従動側スターホイールに外側から歯合する駆動側スターホイールとの歯合高さを調節できるように構成すると共に、従動側スターホイールを支持する支持部材と掻き込み穀稈の接触頻度を減少させる。【解決手段】従動側スターホイール３３Ｌ，３３Ｒを支持する支持フレーム４１の前側を、分草体支持フレーム１２に高さ調節可能に連結する一方、支持フレーム４１の後側を、前処理部の伝動筒４５，４６から当該支持フレーム４１に向けて延設した支持部材５１に高さ調節可能に連結すると共に、前記支持部材５１を機体３正面視で両従動側スターホイール３３Ｌ，３３Ｒの中間より右側に偏移させた。【選択図】図３
2005318860.tif 000002
【特許請求の範囲】
【請求項１】
分草体（１１）の後方に設けた引起装置（１４）と、引起装置（１４）の後方に設けた刈刃（２１）と、刈刃（２１）で刈り取った穀稈の株元を掻き込むための駆動側スターホイール（３２Ｌ，３２Ｒ）と該駆動側スターホイール（３２Ｌ，３２Ｒ）に歯合する従動側スターホイール（３３Ｌ，３３Ｒ）とを備える掻込搬送装置（３１）と、掻込搬送装置（３１）で掻き込んだ穀稈を後方の合流部（Ａ）に向けて搬送する株元側搬送装置（３５Ｌ，３５Ｒ）と穂先側搬送装置（２２）を具備した前処理部（５）を有するコンバインにおいて、前記従動側スターホイール（３３Ｌ，３３Ｒ）を支持する支持フレーム（４１）の前側を、分草体支持フレーム（１２）に高さ調節可能に連結する一方、支持フレーム（４１）の後側を、前処理部の伝動筒（４５，４６）から当該支持フレーム（４１）に向けて延設した支持部材（５１）に高さ調節可能に連結することを特徴とするコンバインにおける掻込搬送装置の支持構造。
【請求項２】
分草体（１１）の後方に設けた引起装置（１４）と、引起装置（１４）の後方に設けた刈刃（２１）と、刈刃（２１）で刈り取った穀稈の株元を掻き込むための駆動側スターホイール（３２Ｌ，３２Ｒ）と該駆動側スターホイール（３２Ｌ，３２Ｒ）に歯合する従動側スターホイール（３３Ｌ，３３Ｒ）とを備える掻込搬送装置（３１）と、掻込搬送装置（３１）で掻き込んだ穀稈を後方の合流部（Ａ）に向けて搬送する株元側搬送装置（３５Ｌ，３５Ｒ）と穂先側搬送装置（２２）を具備した前処理部（５）を有するコンバインにおいて、前記従動側スターホイール（３３Ｌ，３３Ｒ）を支持する支持フレーム（４１）の前側を、分草体支持フレーム（１２）に連結する一方、支持フレーム（４１）の後側を、前処理部の伝動筒（４５，４６）から当該支持フレーム（４１）に向けて延設した支持部材（５１）に連結すると共に、前記支持部材（５１）を機体（３）正面視で両従動側スターホイール（３３Ｌ，３３Ｒ）の中間より右側に偏移させたことを特徴とするコンバインにおける掻込搬送装置の支持構造。
【発明の詳細な説明】
【技術分野】
【０００１】
本発明は、コンバインの前処理部において刈刃で刈り取った穀稈の株元を掻き込み搬送する掻込搬送装置の支持構造に関する。
【背景技術】
【０００２】
従来、コンバインの前処理部（刈取部）は、機体の左右方向に並設した複数の分草体と、各分草体の後方に設けた分草穀稈を引起す複数の引起装置と、該引起装置の後方に設けた刈刃と、刈り取り穀稈を掻込む複数の株元掻込装置と、当該掻込穀稈を後方の引継点に集束する複数の株元側集束搬送装置等を備えている。そして、４条刈りの場合は、機体中央の株元掻込装置を支持する支持部材を刈刃フレームに固設した分草杆から立ち上げ、次いで後方へ延長して刈刃の上側を迂回し、更に上方へ延設して引起装置の上部側へ連結すると共に、前記支持部材を平面視で株元掻込装置を構成する左右一対のスターホイールの中間部に配設したものが知られている（例えば、特許文献１参照。）。
【特許文献１】特許第３２４３８１０号公報（第３頁、図３、図５、図６）
【発明の開示】
【発明が解決しようとする課題】
【０００３】
しかし、上述したものは、支持部材に支持した株元掻込装置を構成する左右一対の従動側スターホイールと、この従動側スターホイールに外側から歯合する駆動側スターホイールとの歯合高さを調節することができないので、両スターホイールの歯合高さにズレが生じた場合は、刈り取り穀稈の掻き込み姿勢が乱れ易く、それによって、当該掻き込み穀稈が株元側搬送体と穂先側搬送体によって搬送される搬送終端側の合流部で稈詰まりが発生すると共に、伝動系の負荷が増大して故障が起こるといった不具合を有していた。
【０００４】
また、前記支持部材は、正面視で株元掻込装置を構成する左右一対のスターホイールの中間部に配設されているので、特に支持部材の左側を通過して前記合流部に向けて搬送される掻き込み穀稈が、当該支持部材と接触してスムーズに搬送することができなくなるといった不具合も有していた。
【課題を解決するための手段】
【０００５】
本発明は、上記課題を解決することを目的として創案したものであって、分草体の後方に設けた引起装置と、引起装置の後方に設けた刈刃と、刈刃で刈り取った穀稈の株元を掻き込むための駆動側スターホイールと該駆動側スターホイールに歯合する従動側スターホイールとを備える掻込搬送装置と、掻込搬送装置で掻き込んだ穀稈を後方の合流部に向けて搬送する株元側搬送装置と穂先側搬送装置を具備した前処理部を有するコンバインにおいて、前記従動側スターホイールを支持する支持フレームの前側を、分草体支持フレームに高さ調節可能に連結する一方、支持フレームの後側を、前処理部の伝動筒から当該支持フレームに向けて延設した支持部材に高さ調節可能に連結することを第１の特徴としている。
【０００６】
また、分草体の後方に設けた引起装置と、引起装置の後方に設けた刈刃と、刈刃で刈り取った穀稈の株元を掻き込むための駆動側スターホイールと該駆動側スターホイールに歯合する従動側スターホイールとを備える掻込搬送装置と、掻込搬送装置で掻き込んだ穀稈を後方の合流部に向けて搬送する株元側搬送装置と穂先側搬送装置を具備した前処理部を有するコンバインにおいて、前記従動側スターホイールを支持する支持フレームの前側を、分草体支持フレームに連結する一方、支持フレームの後側を、前処理部の伝動筒から当該支持フレームに向けて延設した支持部材に連結すると共に、前記支持部材を機体正面視で両従動側スターホイールの中間より右側に偏移させたことを第２の特徴としている。
【発明の効果】
【０００７】
請求項１の発明によれば、従動側スターホイールを支持する支持フレームの前側を、分草体支持フレームに高さ調節可能に連結する一方、支持フレームの後側を、前処理部の伝動筒から当該支持フレームに向けて延設した支持部材に高さ調節可能に連結することによって、駆動側スターホイールの掻き込み歯に対する従動側スターホイールの掻き込み歯の歯合高さを容易に調節できるようになり、従来の不具合である両スターホイールの掻き込み歯の歯合高さのズレによって生ずる刈り取り穀稈の掻き込み姿勢の乱れや伝動不良を解消することができる。したがって、前記掻き込み穀稈が左右の株元側搬送装置と、穂先側搬送装置によって搬送される後方の合流部における稈詰まりや、伝動系の負荷が増大して故障が起こるといった不具合が減少する。
【０００８】
また、請求項２の発明によれば、従動側スターホイールを支持する支持フレームの前側を、分草体支持フレームに連結する一方、支持フレームの後側を、前処理部の伝動筒から当該支持フレームに向けて延設した支持部材に連結すると共に、前記支持部材を機体正面視で両従動側スターホイールの中間より右側に偏移させたことによって、特に支持部材の左側を通過して後方の合流部に向けて搬送される掻き込み穀稈と、当該支持部材との接触頻度が減少してスムーズな搬送が行われるようになる。
【発明を実施するための最良の形態】
【０００９】
以下、本発明の実施形態を図面に基づいて説明する。図１は、本発明の掻込搬送装置の支持構造を適用した４条刈りコンバイン１の外観を示す斜視図であり、
1084248071250_0
は、引起装置やカバー等を省略した４条刈りコンバイン１の正面図である。
【００１０】
図１及び図２に示すように、コンバイン１は、自走用の左右一対のクローラ走行装置２Ｌ，２Ｒ（左側のクローラ走行装置２Ｌは不図示）を走行方向に沿わせて配置した機体３を有し、この機体３の上部位置を占める運転操作部４の操作パネルには、機体操向及び前処理部５の昇降操作を行うマルチステアリングレバー６や主変速レバー７等を配置している。そして、機体３に搭載した図示しないエンジンからの出力により、クローラ走行装置２Ｌ，２Ｒを駆動させてコンバイン１が自走走行するようになっている。
【００１１】
また、前処理部５には、刈り取り穀稈を分草する複数の分草体１１を分草体支持フレーム１２に一体的に取り付けると共に、左右両側の分草体支持フレーム１２には、ナローガイド１３Ｌ、１３Ｒ（左側のナローガイド１３Ｌは不図示）を夫々取り付けている。そして、分草体１１の後方には、分草された穀稈を引き起こす引起装置１４を設けている。
【００１２】
また、機体３の右前部には、運転席１５が設けられると共に、その後方に穀粒タンク１６を配設している。一方機体３の左側には、前処理部５で刈り取った穀稈を搬送する脱穀フィードチェン（不図示）、及びこの脱穀フィードチェンにより搬送された穀稈から穀粒を脱穀し、且つ穀粒の選別を行う脱穀部１７が設けてあり、該脱穀部１７で脱穀選別処理された穀粒は、揚穀筒（不図示）により揚上搬送されて穀粒タンク１６に一時的に貯留される。
【００１３】
そして、図２に示すように、前処理部５の後部には、機体３の左右方向に向く入力伝動筒１８を設けると共に、この入力伝動筒１８の左右両端部を機体３の前部に設けた図示しない入力伝動筒の支持部材によって回動可能に支持している。また、入力伝動筒１８の右端部（運転操作部４側の端部）には、入力プーリ１９を備えており、該入力プーリ１９に図示しない伝動ベルトを介してエンジンからの動力を入力し、その動力が入力伝動筒１８から機体３前方の斜め下方に向けて延出した縦伝動筒２０を介して引起装置１４、穀稈の株元を切断する刈刃２１、刈り取った穀稈を後方の脱穀部１７に向けて搬送する穂先側搬送装置２２等に伝達されるようになっている。
【００１４】
また、機体３と縦伝動筒２０の略中間部には、図示しない油圧シリンダが連結してあって、該油圧シリンダを伸縮作動させることによって、前処理部５の強制的な昇降動作が行われる。そして、図３に示すように、縦伝動筒２０の下端には、この縦伝動筒２０とＴ字状に直交する横伝動筒２３を機体３の左右方向に延設すると共に、両者を一体的に連結している。
【００１５】
上述した引起装置１４は、爪付チェン２４と引起しケース２５とを有し、当該爪付チェン２４に所定の間隔で取り付けた複数本の爪を引起しケース２５内で上方に回動させることによって、分草体１１で分草した後の刈り取り穀稈を整然と梳き上げることができるようになっている。更に、引起装置１４の後方で、且つ横伝動筒２３の前方下部には、地面に近接して穀稈の株元を切断する刈刃２１が設けてあり、この刈刃２１によって切断される穀稈が、複数の掻込搬送装置３１によって略直立状態で掻き込まれながら後方に移送されるようになっている。
【００１６】
詳述すると、掻込搬送装置３１は、機体３の左右方向両側に配設した複数の掻き込み歯を有する駆動側スターホイル３２Ｌ，３２Ｒと、両駆動側スターホイル３２Ｌ，３２Ｒの内側に配設すると共に、この両駆動側スターホイル３２Ｌ，３２Ｒに歯合する掻き込み歯を備えた従動側スターホイール３３Ｌ，３３Ｒと、これらのスターホイール３２Ｌ，３２Ｒ，３３Ｌ，３３Ｒと一体回転する係止爪付きの穂先側搬送手段３２ａ，３２ｂ，３３ａ，３３ｂを備えている。
【００１７】
そして、前記スターホイール３２Ｌ，３２Ｒ，３３Ｌ，３３Ｒと一体回転する係止爪付きの穂先側搬送手段３２ａ，３２ｂ，３３ａ，３３ｂによって掻き込まれた穀稈は、機体３正面視でハの字状に設けられ、且つ駆動側スターホイル３２Ｌ，３２Ｒと一体回転する左右の株元側搬送装置３５Ｌ，３５Ｒと、穂先側搬送装置２２によって後方の合流部Ａに向けて搬送されるようになっている。尚、掻込搬送装置３１の後方には、刈取り穀稈の稈長を検出して自動的に適正な扱ぎ深さに調節する扱ぎ深さ搬送装置３６を設けている。
【００１８】
また、上述した掻込搬送装置３１を構成する従動側スターホイール３３Ｌ，３３Ｒは、図４及び図５に示すように、角パイプ状の支持フレーム４１の左右両側に取付けられると共に、当該支持フレーム４１は、固設した丸パイプ４１ａを有し、その前側を分草体支持フレーム１２に高さ調節可能に連結（螺設）できるようになっている。詳述すると、分草体支持フレーム１２の前後方向略中間部には、プレート１２ａが固設してあって、このプレート１２ａに設けた長孔Ｈ１，Ｈ１を利用することによって、支持フレーム４１に固設した丸パイプ４１ａの前側に設けた連結プレート４１ｂの連結高さと連結角度、即ち、支持フレーム４１の分草体支持フレーム１２に対する連結高さと連結角度を調節することができるようになっている。
【００１９】
一方、前処理部伝動筒の一つである横伝動筒２３の左側端部から立ち上げた縦伝動筒４２と、この縦伝動筒４２に直交する横伝動筒４３を介して、引起装置１４の伝動筒４４，４５，４６，４７を分岐させてあるが、これらの伝動筒４４，４５，４６，４７のうち中央の伝動筒４５，４６から、前記支持フレーム４１に向けて該支持フレーム４１を支持する支持部材である丸パイプ５１を延設すると共に、この丸パイプ５１の前側で支持フレーム４１の後側を高さ調節可能に連結（螺設）できるようになっている。また、丸パイプ５１の前側下部には丸パイプ５２を一体固着し、その下端部に固着したプレート５２ａを横伝動筒２３に連結（螺設）してある。即ち、支持フレーム４１の後側は、上下に配設した両丸パイプ５１，５２によって強固に支持されている。
【００２０】
更に詳しくは、前記丸パイプ５１は、その後側（上部基端側）に固着したプレート５１ａの左右両側を、伝動筒４５，４６先端のフランジ部４５ａ，４６ａに連結（螺設）すると共に、丸パイプ５１の前側（下側）に固着したプレート５１ｂを支持フレーム４１の取付座４１ｃに連結（螺設）できるようになっている。そして、前記プレート５１ｂには、長孔Ｈ２，Ｈ２が設けてあり、この長孔Ｈ２，Ｈ２を利用して支持部材（丸パイプ）５１に対する支持フレーム４１の連結高さを調節できるようになっている。
【００２１】
以上説明したように、従動側スターホイール３３Ｌ，３３Ｒを支持する支持フレーム４１の前側を、分草体支持フレーム１２に高さ調節可能に連結する一方、支持フレーム４１の後側を、前処理部の伝動筒４５，４６から当該支持フレーム４１に向けて延設した支持部材５１に高さ調節可能に連結することによって、駆動側スターホイール３２Ｌ，３２Ｒの掻き込み歯に対する従動側スターホイール３３Ｌ，３３Ｒの掻き込み歯の歯合高さを容易に調節できるようになり、従来の不具合である駆動側スターホイール３２Ｌ，３２Ｒと従動側スターホイール３３Ｌ，３３Ｒの掻き込み歯の歯合高さのズレによって生じる刈り取り穀稈の掻き込み姿勢の乱れや伝動不良を解消することができる。したがって、前記掻き込み穀稈が左右の株元側搬送装置３５Ｌ，３５Ｒと、穂先側搬送装置２２によって搬送される後方の合流部Ａにおける稈詰まりや、伝動系の負荷が増大して故障が起こるといった不具合が減少する。
【００２２】
尚、本発明の実施形態においては、支持フレーム４１の後側は、その上下に配設した丸パイプ５１，５２によって支持されているが、上側の丸パイプ５１を廃止して、横伝動筒２３に連結（螺設）されている下側の丸パイプ５２を支持フレーム４１に向けて延設し、この下側の丸パイプ５２によって支持フレーム４１の後側を支持してもよい。
【００２３】
また、上述した支持フレーム４１を支持する支持部材である丸パイプ５１は、図２及び図５に示すように、機体３正面視で従動側スターホイール３３Ｌ，３３Ｒの中間より右側に偏移させて、前処理部伝動筒４５，４６から支持フレーム４１に向けて延設してあるので、特に支持部材である丸パイプ５１の左側を通過して後方の合流部Ａに向けて搬送される掻き込み穀稈と、当該丸パイプ５１との接触頻度が減少してスムーズな搬送が行われるようになる。
【図面の簡単な説明】
【００２４】
【図１】コンバインの外観を示す斜視図。
【図２】一部を省略したコンバインの正面図。
【図３】図２におけるＢ矢視図。
【図４】従動側スターホイールの支持構造を示す斜視図。
【図５】従動側スターホイールの支持構造を示す背面図。
【符号の説明】
【００２５】
５      前処理部
１１    分草体
１２    分草体支持フレーム
１４    引起装置
２１    刈刃
１１    分草体
３１    掻込搬送装置
３２Ｌ  駆動側スターホイール
３２Ｒ  駆動側スターホイール
３３Ｌ  従動側スターホイール
３３Ｒ  従動側スターホイール
３５Ｌ  株元側搬送装置
３５Ｒ  株元側搬送装置
４１    支持フレーム
４５    伝動筒
４６    伝動筒
５１    支持部材
Ａ      合流部
【図１】
2005318860.tif 000003
【図２】
2005318860.tif 000004
【図３】
2005318860.tif 000005
【図４】
2005318860.tif 000006
【図５】
2005318860.tif 000007